(57)【要約】      （修正有）【課題】自動的に毛を刷くことができ、殺菌機能を有する電動ペットヘアブラシを提供する。【解決手段】電動ペットヘアブラシは、外筐体、ローラ２０、制御モジュール４０及び動力モジュール５０を含む。外筐体は、収容スペースを有する。制御モジュール及び動力モジュールは、電気的に接続されるとともに両者がいずれも収容スペースに収容される。ローラは、外筐体の前端に設けられるとともに動力モジュールに接続され、動力モジュールによって駆動されて回転可能であり、ローラ本体、複数の櫛歯アセンブリ、バッフルユニット及び偏心輪ユニット２４、を含む。動力モジュールは、ローラ本体を回転させるように駆動する。複数の櫛歯アセンブリは、ローラ本体の回転に伴ってローラ本体から交互に循環的に延出し、又はローラ本体の収容スペースに没入可能である。【選択図】図４
0003231515.tif 000002
【実用新案登録請求の範囲】
【請求項１】
外筐体、ローラ、制御モジュール及び動力モジュールを含む電動ペットヘアブラシであって、前記外筐体は、収容スペースを有し、前記制御モジュール及び動力モジュールは、電気的に接続されるとともに両者がいずれも前記収容スペースに収容され、前記ローラは、前記外筐体の前端に設けられるとともに前記動力モジュールに接続され、前記動力モジュールによって駆動されて回転可能であり、ローラ本体及び複数の櫛歯アセンブリを含み、前記動力モジュールは、前記ローラ本体を回転させるように駆動し、複数の前記櫛歯アセンブリは、前記ローラ本体の回転に伴って前記ローラ本体から交互に循環的に延出し、又は前記ローラ本体の収容スペースに没入可能である、
ことを特徴とする電動ペットヘアブラシ。
【請求項２】
前記ローラ本体は、複数の前記櫛歯アセンブリにそれぞれ１対１で対応する複数組の櫛歯貫通孔を有し、複数の前記櫛歯アセンブリの櫛歯は、対応する櫛歯貫通孔を通過して前記ローラ本体から延出可能であり、又は対応する櫛歯貫通孔に沿って前記ローラ本体の収容スペースに没入可能である、
ことを特徴とする請求項１に記載の電動ペットヘアブラシ。
【請求項３】
前記ローラは、第１バッフル及び第２バッフルを含むバッフルユニットをさらに含み、前記第１バッフル及び前記第２バッフルは、前記ローラ本体の両端にそれぞれ設けられるとともに前記ローラ本体と組み合わせて収容スペースを形成し、前記バッフルユニットは、前記ローラ本体と組み合わせて前記ローラの外筐体を形成する、
ことを特徴とする請求項２に記載の電動ペットヘアブラシ。
【請求項４】
前記第１バッフルは、固定して接続されるとともに同軸に設けられる第１バッフル本体及び駆動輪を含み、前記動力モジュールは、伝動ベルトを介して前記駆動輪に接続されることにより、前記ローラの外筐体を回転させるように動かす、
ことを特徴とする請求項３に記載の電動ペットヘアブラシ。
【請求項５】
前記櫛歯アセンブリは、櫛歯本体及び復帰ばねを含み、前記櫛歯本体は、櫛歯主部と、前記櫛歯主部に設けられる複数の櫛歯と、前記櫛歯主部の両端に設けられる櫛歯リミット部と、を含み、前記復帰ばねは、複数の前記櫛歯の中央に套設され、前記櫛歯が前記櫛歯貫通孔を通過するとき、前記復帰ばねは、前記ローラ本体の内面に当接して圧縮状態にあるため、前記櫛歯本体に復帰の推力を供給可能である、
ことを特徴とする請求項３に記載の電動ペットヘアブラシ。
【請求項６】
前記第１バッフル及び前記第２バッフルは、いずれも中心孔及びリミット溝を有し、複数の前記リミット溝は、前記中心孔の周囲に分布されるとともに前記第１バッフル及び前記第２バッフルの径方向に延在し、前記櫛歯本体に対応して設けられ、前記櫛歯主部の両端の櫛歯リミット部は、前記第１バッフル及び前記第２バッフルのリミット溝にそれぞれ設けられ、前記櫛歯本体は、前記リミット溝の延在方向に沿って往復移動可能である、
ことを特徴とする請求項５に記載の電動ペットヘアブラシ。
【請求項７】
第１偏心輪及び第２偏心輪を含む偏心輪ユニットをさらに含み、前記第１偏心輪及び第２偏心輪は、一端が前記第１バッフル及び前記第２バッフルの中心孔にそれぞれ接続され、他端がいずれも前記外筐体に接続され、前記第１偏心輪及び前記第２偏心輪の偏心輪は、前記ローラ本体と前記バッフルユニットとが組み合わせて形成された収容スペースに設けられ、前記中心孔の円心からずれるように対向して設けられ、前記外筐体に対して静止して設けられる、
ことを特徴とする請求項５に記載の電動ペットヘアブラシ。
【請求項８】
風道及び掃除機をさらに含み、前記風道は、一端が前記ローラに近接して設けられ、他端が前記掃除機に連通するように前記外筐体に収容される、
ことを特徴とする請求項１に記載の電動ペットヘアブラシ。
【請求項９】
前記制御モジュールに電気的に接続される電源モジュールをさらに含む、
ことを特徴とする請求項１に記載の電動ペットヘアブラシ。
【請求項１０】
前記制御モジュールに電気的に接続されるとともに前記外筐体の底部に設けられる紫外線ランプモジュールをさらに含む、
ことを特徴とする請求項１から９のいずれか１項に記載の電動ペットヘアブラシ。
【考案の詳細な説明】
【技術分野】
【０００１】
本考案は、電動ペットヘアブラシの技術分野に関し、特に動電式電動ペットヘアブラシに関するものである。
【背景技術】
【０００２】
従来のペットヘアブラシは、通常、手動操作が必要であり、通常作業量が多く、刷いたペットの毛は、他の場所に散り落ちやすく、収集しにくいため、生活衛生に影響を与える。また、ペットの毛は、細菌を繁殖しやすい。従来の電動ペットヘアブラシは、通常、殺菌機能を有しておらず、人々の健康に影響を与える。
【０００３】
そのため、自動的に毛を刷くことができ、殺菌機能を有する電動ペットヘアブラシを提供する必要がある。
【考案の概要】
【０００４】
本考案の目的は、上記背景技術で提起された問題を解決するために、電動ペットヘアブラシを提供することにある。
【０００５】
上記目的を実現するために、本考案によれば、外筐体、ローラ、制御モジュール及び動力モジュールを含む電動ペットヘアブラシであって、前記外筐体は、収容スペースを有し、前記制御モジュール及び動力モジュールは、電気的に接続されるとともに両者がいずれも前記収容スペースに収容され、前記ローラは、前記外筐体の前端に設けられるとともに前記動力モジュールに接続され、前記動力モジュールによって駆動されて回転可能であり、ローラ本体及び複数の櫛歯アセンブリを含み、前記動力モジュールは、前記ローラ本体を回転させるように駆動し、複数の前記櫛歯アセンブリは、前記ローラ本体の回転に伴って前記ローラ本体から交互に循環的に延出し、又は前記ローラ本体の収容スペースに没入可能である電動ペットヘアブラシという技術的手段が提供される。
【０００６】
前記ローラ本体は、複数の前記櫛歯アセンブリにそれぞれ１対１で対応する複数組の櫛歯貫通孔を有し、複数の前記櫛歯アセンブリの櫛歯は、対応する櫛歯貫通孔を通過して前記ローラ本体から延出可能であり、又は対応する櫛歯貫通孔に沿って前記ローラ本体の収容スペースに没入可能であることが好ましい。
【０００７】
前記ローラは、第１バッフル及び第２バッフルを含むバッフルユニットをさらに含み、前記第１バッフル及び前記第２バッフルは、前記ローラ本体の両端にそれぞれ設けられるとともに前記ローラ本体と組み合わせて収容スペースを形成し、前記バッフルユニットは、前記ローラ本体と組み合わせて前記ローラの外筐体を形成することが好ましい。
【０００８】
前記第１バッフルは、固定して接続されるとともに同軸に設けられる第１バッフル本体及び駆動輪を含み、前記動力モジュールは、伝動ベルトを介して前記駆動輪に接続されることにより、前記ローラの外筐体を回転させるように動かすことが好ましい。
【０００９】
前記櫛歯アセンブリは、櫛歯本体及び復帰ばねを含み、前記櫛歯本体は、櫛歯主部と、前記櫛歯主部に設けられる複数の櫛歯と、前記櫛歯主部の両端に設けられる櫛歯リミット部と、を含み、前記復帰ばねは、複数の前記櫛歯の中央に套設され、前記櫛歯が前記櫛歯貫通孔を通過するとき、前記復帰ばねは、前記ローラ本体の内面に当接して圧縮状態にあるため、前記櫛歯本体に復帰の推力を供給可能であることが好ましい。
【００１０】
前記第１バッフル及び前記第２バッフルは、いずれも中心孔及びリミット溝を有し、複数の前記リミット溝は、前記中心孔の周囲に分布されるとともに前記第１バッフル及び前記第２バッフルの径方向に延在し、前記櫛歯本体に対応して設けられ、前記櫛歯主部の両端の櫛歯リミット部は、前記第１バッフル及び前記第２バッフルのリミット溝にそれぞれ設けられ、前記櫛歯本体は、前記リミット溝の延在方向に沿って往復移動可能であることが好ましい。
【００１１】
第１偏心輪及び第２偏心輪を含む偏心輪ユニットをさらに含み、前記第１偏心輪及び第２偏心輪は、一端が前記第１バッフル及び前記第２バッフルの中心孔にそれぞれ接続され、他端がいずれも前記外筐体に接続され、前記第１偏心輪及び前記第２偏心輪の偏心輪は、前記ローラ本体と前記バッフルユニットとが組み合わせて形成された収容スペースに設けられ、前記中心孔の円心からずれるように対向して設けられ、前記外筐体に対して静止して設けられることが好ましい。
【００１２】
風道及び掃除機をさらに含み、前記風道は、一端が前記ローラに近接して設けられ、他端が前記掃除機に連通するように前記外筐体に収容されることが好ましい。
【００１３】
前記制御モジュールに電気的に接続される電源モジュールをさらに含むことが好ましい。
【００１４】
前記制御モジュールに電気的に接続されるとともに前記外筐体の底部に設けられる紫外線ランプモジュールをさらに含むことが好ましい。
【考案の効果】
【００１５】
本考案によって提供される電動ペットヘアブラシによれば、電動ローラによりペットの毛を梳くことができる。また、前記電動ペットヘアブラシによれば、回転中にペットの脱落した毛を収集することができるため、ペットの飼い主の仕事量を軽減することができる。また、本考案によって提供される電動ペットヘアブラシによれば、ペットの毛を梳くと同時に紫外線ランプによる殺菌を行うこともできるため、ペットの健康が保証される。
【図面の簡単な説明】
【００１６】
【図１】本考案によって提供される電動ペットヘアブラシの構造を示す概略図である。
【図２】図１に示す電動ペットヘアブラシの別の角度の構造を示す概略図である。
【図３】図１に示す電動ペットヘアブラシの分解構造を示す概略図である。
【図４】図１に示す電動ペットヘアブラシの外筐体が取り外された構造を示す概略図である。
【図５】図１に示す電動ペットヘアブラシのローラと動力モジュールとの接続構造を示す概略図である。
【図６】図１に示す電動ペットヘアブラシのローラの分解構造を示す概略図である。
【図７】図６に示すローラにおける櫛歯アセンブリの分解構造を示す概略図である。
【図８】図６に示すローラにおける第１バッフルの構造を示す概略図である。
【考案を実施するための形態】
【００１７】
以下では、本考案の実施例における図面を参照しながら本考案の実施例における技術的手段について明確かつ完全に説明する。明らかに、説明された実施例は、本考案の実施例の一部に過ぎず、すべての実施例ではない。本考案の実施例に基づいて、創造的な努力なしに当業者によって得られる他のすべての実施例は、いずれも本考案の保護範囲に属する。
【００１８】
図１から図４を同時に参照して、図１は本考案によって提供される電動ペットヘアブラシの構造を示す概略図である。図２は図１に示す電動ペットヘアブラシの別の角度の構造を示す概略図である。図３は図１に示す電動ペットヘアブラシの分解構造を示す概略図である。図４は図１に示す電動ペットヘアブラシの外筐体が取り外された構造を示す概略図である。
【００１９】
前記電動ペットヘアブラシ１００は、外筐体１０、ローラ２０、風道３０、制御モジュール４０、動力モジュール５０、電源モジュール６０、スイッチモジュール７０、紫外線ランプモジュール８０及び掃除機（不図示）を含む。前記外筐体１０は、内部に収容スペースを有する。前記ローラ２０は、前記外筐体１０の前端に設けられる。前記風道３０、前記制御モジュール４０、前記動力モジュール５０及び前記電源モジュール６０は、前記外筐体の収容スペースに収容される。前記スイッチモジュール７０は、前記外筐体の収容スペースに部分的に収容される。前記制御モジュール４０は、前記動力モジュール５０、電源モジュール６０及びスイッチモジュール７０に電気的に接続される。
【００２０】
前記外筐体１０は、下筐体１１、上筐体１２及びフロントカバープレート１３が組み合わせて形成される。組み合わせられた前記外筐体１０は、収容キャビティ１４、リミットユニット１５及びハンドル１６を含む。
【００２１】
図４から図８を参照して、前記ローラ２０は、前記外筐体１０の前端に設けられる。具体的には、前記ローラ２０は、前記リミットユニット１５に接続され、前記リミットユニット１５と接続される箇所の軸方向を中心に回転可能である。前記ローラ２０は、ローラ本体２１、櫛歯アセンブリ２２、バッフルユニット２３及び偏心輪ユニット２４を含む。前記ローラ本体２１と前記バッフルユニット２３は、収容スペースが形成されるように組み合わせられる。前記櫛歯アセンブリ２２及び前記偏心輪ユニット２４は、いずれも収容スペースに部分的に収容される。
【００２２】
前記ローラ本体２１は、中空円柱状構造である。本実施形態において、前記ローラ本体２１は、円柱体の長手方向に沿って分布して設けられる複数組の櫛歯貫通孔２１１を有する。各組の前記櫛歯貫通孔２１１は、直線に沿って配列される複数の貫通孔を含む。複数組の前記貫通孔２１１は、前記櫛歯アセンブリ２２に１対１で対応して設けられる。さらに、前記櫛歯アセンブリ２２の末端は、前記貫通孔２１１を通過することができる。また、本実施形態において、前記ローラ本体２１は、二つの弧状筐体によって組み合わせて形成される。
【００２３】
図７を再び参照して、前記櫛歯アセンブリ２２の個数は、複数組であり、複数組の前記櫛歯アセンブリ２２は、櫛歯本体２２１及び復帰ばね２２２を含む。前記復帰ばね２２２は、前記櫛歯に套設される。
【００２４】
前記櫛歯本体２２１は、櫛歯主部２２１１と、複数の櫛歯２２１２と、前記櫛歯主部２２１１の両端に設けられる櫛歯リミット部２２１３とを含む。複数の前記櫛歯２２１２は、前記櫛歯主部２２１１の頂端に平行に離間して設けられる。本実施形態において、前記櫛歯２２１２間の離間距離及び長さは、異なるペットに応じて調整することができるが、本考案はこれを限定しない。さらに、複数の前記櫛歯２２１２の頂端は、いずれも同一方向に湾曲し、その湾曲度は、実際の必要に応じて調整することができる。また、複数の前記櫛歯２２１２の湾曲方向は、前記ローラ２０の回転方向と同じであるため、よりよいヘア梳き効果を実現することができる。
【００２５】
前記櫛歯リミット部２２１３は、前記櫛歯主部２２１１の両端に設けられる。前記櫛歯リミット部２２１３は、前記櫛歯アセンブリ２２の移動経路を制限するためのものである。
【００２６】
前記バッフルユニット２３は、第１バッフル２３１及び第２バッフル２３２を含む。前記第１バッフル２３１及び前記第２バッフル２３２は、前記ローラ本体２１の両端にそれぞれ設けられる。また、前記バッフルユニット２３は、前記ローラ本体２１と組み合わせて前記ローラ２０のローラ外筐体を形成する。このとき、前記外筐体２１は、閉じた内部スペースを有する。さらに、前記バッフルユニット２３は、前記外筐体２１と閉じた円柱状スペースを形成する。
【００２７】
図８を再び参照して、前記第１バッフル２３１は、第１バッフル本体部２３１１及び駆動輪２３１２を含む。前記第１バッフル本体部２３１１及び前記駆動輪２３１２は、両者が同軸に設けられ、すなわち前記第１バッフル本体部２３１１及び前記駆動輪２３１２の円心が重なり合っている。
【００２８】
前記第１バッフル本体部２３１１は、円形シート状構造を呈し、前記ローラ本体２１の一端に接続される。
【００２９】
前記第１バッフル本体部２３１１は、中央に中心孔２３１３及びリミット溝２３１４を有する。前記中心孔２３１３は、前記第１バッフル本体部２３１１の中央に設けられる。前記リミット溝２３１４の個数は複数であり、複数の前記リミット溝２３１４は、ストライプ状の貫通孔を呈し、前記第１バッフル本体部２３１１の中心の周囲に分布される。複数の前記リミット溝２３１４は、前記第１バッフル本体部２３１１の径方向に沿って延在して設けられる。複数の前記リミット溝２３１４は、複数の前記櫛歯アセンブリ２２に対して１対１で設けられる。具体的には、前記リミット溝２３１４は、それに対応する前記櫛歯アセンブリ２２の櫛歯リミット部２２１３に合わせて設けられる。前記リミット溝２３１４は、対応する櫛歯リミット部２２１３を、前記リミット溝２３１４の延在方向に沿って往復移動させるように画定することができる。
【００３０】
前記駆動輪２３１２は、前記第１バッフル本体部２３１１の中央に設けられるとともに前記第１バッフル本体部２３１１と同軸に設けられる。前記駆動輪２３１２は、中心部にも中心孔２３１３を有する。換言すれば、前記中心孔２３１３は、前記駆動輪２３１２と前記第１バッフル本体部２３１１とを同時に貫通する。本実施形態において、前記駆動輪２３１２と前記第１バッフル本体部２３１１とは、一体成形構造である。前記駆動輪２３１２は、伝動ベルトを介して前記動力モジュール５０に接続される。これに対応して、前記駆動輪２３１２の表面には、前記伝動ベルトに合わせて設けられる複数の歯が分布して設けられる。前記駆動輪２３１２は、前記動力モジュール５０によって駆動されることにより、前記ローラ２０全体を回転させるように動かす。
【００３１】
前記第２バッフル２３２は、前記外筐体２１の他端に接続される。本実施形態において、前記第２バッフル２３２と前記第１バッフル２３１の構成は基本的に同様であり、ここではこれ以上詳述しない。
【００３２】
前記偏心輪ユニット２４は、第１偏心輪２４１及び第２偏心輪２４２を含む。前記第１偏心輪２４１及び前記第２偏心輪２４２は、前記第１バッフル２３１及び前記第２バッフル２３２にそれぞれ接続される。前記電動ペットヘアブラシ１００が正常な動作状態にあるとき、前記偏心輪２４は、前記外筐体１０に対して静止状態にある。
【００３３】
前記第１偏心輪２４１は、偏心輪２４１１、偏心輪固定部２４１２及び偏心輪接続部２４１３を含む。前記偏心輪接続部２４１３は、両端が前記偏心輪２４１１及び前記偏心輪固定部２４１２にそれぞれ接続される。もちろん、前記電動ペットヘアブラシ１００が正常な動作状態にあるとき、前記第１偏心輪２４１は、前記外筐体１０に対して静止状態にある。
【００３４】
前記偏心輪２４１１は、前記偏心輪接続部２４１３に接続される。正常な組立状態において、前記偏心輪２４１１の相対位置は、固定される。前記偏心輪２４１１は、前記ローラ本体２１と前記バッフルユニット２３とが組み合わせて形成された収容スペースに位置すると同時に、複数の前記櫛歯アセンブリ２２の底端に当接し、前記偏心輪２４１１が中心孔２３１３の中心からずれる位置は、実際の必要に応じて調整することができる。本実施形態において、前記偏心輪２４１１の中心からずれた最も遠い端に当接する櫛歯アセンブリ２２の櫛歯２２１２は、対応する貫通孔２１１を通過して、前記ローラ本体２１と前記バッフルユニット２３とが組み合わせて形成された収容スペースから延出する。前記偏心輪２４１１の中心に最も近い端に当接する櫛歯アセンブリ２２の櫛歯２２１２の頂端は、対応する貫通孔２１１内に係止する。このとき、前記櫛歯２２１２の頂端は、前記ローラ本体２１の外面と面一であり、前記櫛歯アセンブリ２２は、全体として前記ローラ本体２１に収容される。他の櫛歯２２は、前記偏心輪２４の他の部分に当接し、当接部位が中心から離れるほど、前記ローラ本体２１から延出する前記櫛歯２２の頂端の長さが長くなる。
【００３５】
前記偏心輪固定部２４１２は、前記フロントカバープレート１３の一端に接続される。前記偏心輪固定部２４１２と前記フロントカバープレート１３の位置は相対的に固定されているため、前記収容キャビティ１４内で回転可能なように前記ローラ２０を前記収容キャビティ１４に固定することができる。
【００３６】
前記偏心輪接続部２４１３は、両端が前記偏心輪２４１及び前記偏心輪固定部２４１２にそれぞれ接続される。具体的には、前記偏心輪接続部２４１３は、前記第１バッフル本体部２３１１及び前記駆動輪２３１２を通過し、前記中心孔２３１３内に係止する。前記接続部は柱状構造を呈し、その外径は前記中心孔２３１３の孔径に合わせる。すなわち、前記偏心輪接続部は、前記中心孔２３１３内にちょうどよく係止することができる。
【００３７】
前記第２偏心輪２４２の構造は、前記第１偏心輪２４１と同様であるため、ここではこれ以上詳述しない。同様に、前記電動ペットヘアブラシ１００が正常な動作状態にあるとき、前記第２偏心輪２４２は、前記外筐体１０に対して静止状態にある。前記第２偏心輪２４２は、前記第１偏心輪２４１に対向して設けられる。換言すれば、前記第２偏心輪２４２と前記第１偏心輪２４１とが位置する直線は、前記ローラ２０の軸線の方向と平行する。前記第１偏心輪２４１及び前記第２偏心輪２４２は、複数の前記櫛歯アセンブリ２２の両端に同時に当接し、複数の前記櫛歯アセンブリ２２の頂端が前記ローラ本体２１から延出し、又は前記外筐体２１の収容スペースに没入することが実現されるように共同して組み合わせられる。ここではこれ以上詳述しない。
【００３８】
前記風道３０は、前記外筐体１０の収容スペースに収容される。前記風道３０は、全体として中空構造を呈し、その形状は、前記外筐体１０の内部スペースに合わせて設けられる。具体的には、前記風道３０は、前記収容キャビティ１４に部分的に収容され、前記ハンドル１６に部分的に収容される。前記風道３０の前部は、前記ローラ２０に近接して接続されるため、前記ローラ２０に位置するペットの毛を収集することができる。前記風道３０の他端は、吸引力でペットの毛を収集するための掃除機（不図示）に接続される。
【００３９】
前記制御モジュール４０は、前記動力モジュール５０、前記電源モジュール６０、スイッチモジュール７０、紫外線ランプモジュール８０及び掃除機にそれぞれ電気的に接続される。前記制御モジュール４０は、受信した情報に基づいて前記電動ペットヘアブラシ１００の動作状態を制御することができる。
【００４０】
前記動力モジュール５０は、前記制御モジュール４０に電気的に接続されるとともに、伝動ベルトを介して前記駆動輪２３１２に接続される。前記動力モジュール５０の動作状態は、前記制御モジュール４０によって制御される。
【００４１】
前記電源モジュール６０は、前記収容キャビティ１４内に設けられる。前記電源モジュール６０は、前記制御モジュール４０に電気的に接続されるとともに、前記電動ペットヘアブラシ１００の電気部品に電力を供給することができる。本実施形態において、前記電源モジュール６０は、リチウムイオン電池である。
【００４２】
前記スイッチモジュール７０は、前記ハンドル１６の上面に設けられるとともに、前記制御モジュール４０に電気的に接続される。前記スイッチモジュール７０は、前記電動ペットヘアブラシ１００の開閉を制御するだけでなく、前記電動ペットヘアブラシ１００の動作状態及び強度を制御することができる。
【００４３】
前記紫外線ランプモジュール８０は、前記収容キャビティ１４の底面に設けられる。前記紫外線ランプモジュール８０は、前記制御モジュール４０に電気的に接続される。前記紫外線ランプモジュール８０は、ペットの毛を梳くと同時にペットの毛を消毒し、ペットの毛に付着する可能性のある細菌を除去することができる。
【００４４】
前記掃除機は、管路を介して前記風道３０に接続されるため、ペットの毛を吸い上げることができる。前記掃除機は、従来の汎用掃除機であってよく、本考案はこれを詳述しない。本実施手段において、前記風道３０は、複数種類のコネクタに合わせて接続することができるため、ユーザが異なる仕様の掃除機を接続するのに便利である。
【００４５】
前記電動ペットヘアブラシ１００の動作過程をより明確に理解するために、以下は、前記電動ペットヘアブラシ１００の動作状態について具体的に説明する。
【００４６】
ペットの毛を刷く必要がある場合には、まず、前記スイッチモジュール７０を介して前記電動ペットヘアブラシ１００を起動させる。このとき、前記制御モジュール４０は、前記動力モジュール５０を起動させるように制御するとともに、前記ローラ本体２１を回転させるように動かす。前記ローラ本体２１は、回転中に前記ローラ外筐体を回転させるように動かす。前記ローラ外筐体は、複数の前記櫛歯アセンブリ２２を移動させるように動かす。複数の前記櫛歯アセンブリ２２は、移動中に前記偏心輪ユニット２４を中心に回転する。
【００４７】
なお、前記櫛歯アセンブリ２２が前記偏心輪ユニット２４の中心から最も遠い位置に当接するとき、この時点で、前記櫛歯アセンブリ２２の櫛歯２２１２が前記貫通孔２１１から延出する長さが最も長い。換言すれば、正常な使用状態において、前記電動ペットヘアブラシ１００がペットに接触する複数の櫛歯アセンブリ２２は、前記偏心輪ユニット２４の中心から最も遠い箇所の近傍に当接する。前記ローラ本体２１が回転し続けるとき、複数の前記櫛歯２２は、前記偏心輪ユニット２４に当接する位置が中心に近づくにつれて前記ローラ本体２１の収容スペースに徐々に没入する。前記櫛歯アセンブリ２２によって前記収容キャビティ１４に持ち込まれたペットの毛は、前記風道３０によって特別な貯蔵装置に吸い込まれる。前記ペットの毛を梳き終わるまでこのように循環する。
【００４８】
ペットの毛を梳くと同時に、前記紫外線ランプモジュール８０は、ペットの毛を殺菌するため、ペットの健康が保証される。
【００４９】
本考案によって提供される電動ペットヘアブラシ１００によれば、電動ローラによりペットの毛を梳くことができる。また、前記電動ペットヘアブラシ１００によれば、回転中にペットの脱落した毛を収集することができるため、ペットの飼い主の仕事量を軽減することができる。また、本考案によって提供される電動ペットヘアブラシ１００によれば、ペットの毛を梳くと同時に紫外線ランプによる殺菌を行うこともできるため、ペットの健康が保証される。
【００５０】
本考案の具体的な実施形態は、当業者が本考案を理解又は実現することを可能にする。これらの実施例に対するさまざまな修正は、当業者には明らかである。本明細書で定義される一般原理は、本考案の精神又は範囲から逸脱することなく、他の実施例で実現することができる。したがって、本考案は、本明細書に示されるこれらの実施例に限定されず、本明細書に開示される原理及び新規の特徴と一致する最も広い範囲に適合すべきである。
【図１】
0003231515.tif 000003
【図２】
0003231515.tif 000004
【図３】
0003231515.tif 000005
【図４】
0003231515.tif 000006
【図５】
0003231515.tif 000007
【図６】
0003231515.tif 000008
【図７】
0003231515.tif 000009
【図８】
0003231515.tif 000010